(57)【要約】【課題】階段上に覆われた養生シートを簡易にして、かつ確実・安全に押え留めすることができる階段用養生シートの押え留め具を提供すること。【解決手段】垂木状の押え部材１の両端部２の端面が、一対の弾性体収納ケース３内に装着された弾性体８に当接するようにしてケース３内に遊嵌され、両方の弾性体収納ケース３側のクッション性滑り留め部材１２が弾性体８の弾力に抗して階段の両方の壁面１０２、１０３に当接せられてセットされ、ケース上面に立設されている頭付き押えねじ１１のねじ穴９へのねじ込みによって、そのねじ端で押え部材１の両方の端部上面が固定的に押えられ、階段上に覆われた階段用養生シートの上面で、かつ階段踏み面とけこみ面との角部の階段長手方向において、階段用養生シートが上方より押えられて仮留めされる。【選択図】    図５
2008038591.tif 000002
【特許請求の範囲】
【請求項１】
垂木状の押え部材(１)と、
該押え部材(１)の両端部（２）が遊嵌される一対の弾性体収納ケース(３)と、
該一対の弾性体収納ケース(３)内にそれぞれ装着されたコイルばね等の弾性体(８)を含み、
前記一対の弾性体収納ケース(３)は、前記押え部材(１)の両方端部（２）が遊嵌される開口部(４)を有する有底の筒状体であって、その開口部(４)と対向する閉塞側面（５）の内側部位には、前記弾性体(８)が係止される弾性体係止部(７)が突設され、一対のケース上面の中央部位には、垂直方向にねじ穴(９)を有する膨出部(１０)が一体に立設されるとともに、前記それぞれのねじ穴(９)には頭付き押えねじ(１１)がそれぞれねじ込まれて立設され、さらに前記一対の弾性体収納ケース(３)の閉塞側の外側面にはそれぞれゴム製のクッション性滑り留め部材(１２)が取り付けされ、前記一対の弾性体収納ケース(３)内の弾性体係止部(７)には前記弾性体(８)がそれぞれ係止装着されて、該一対の弾性体収納ケース(３)内には、その開口部(４)側から前記押え部材(１)の両方の端部（２）が、その端面が前記弾性体(８)に当接するようにして遊嵌され、この状態で、前記両方の弾性体収納ケース(３)側の前記クッション性滑り留め部材(１２)が弾性体(８)の弾力に抗して階段の両方の壁面(１０２、１０３)に当接せられてセットされ、かつ前記頭付き押えねじ(１１)のねじ込みによるねじ端で前記遊嵌されている押え部材(１)の両方の端部上面が固定的に押えられ、または前記押えねじ(１１)の先端のねじ込みによって前記押え部材(１)が固定的に押えられ、前記階段上に覆われた階段用養生シート(２００)の上面で、かつ階段踏み面(１００)とけこみ面(１０１)との角部の階段長手方向において、前記階段用養生シート(２００)が上方より押えられて仮留めされる構成を特徴とする階段用養生シートの押え留め具。
【発明の詳細な説明】
【技術分野】
【０００１】
本発明は、ビルや家屋等の建築工事中、或いは工事完成から入居するまでの間において、階段の踏み面及びコーナーを含むけこみ面の日焼けや汚れ、損傷等を防止するため、階段上に覆われた長尺の階段用養生カバーを押えて仮留めさせておくための押え留め具に関するものである。
【背景技術】
【０００２】
従来この種技術としては、例えば、下記の特許文献１、特許文献２に記載されているものが知られている。
【特許文献１】特開平４−３７１６７４号公報
【特許文献２】実用新案登録第２５１５５５９号公報
【０００３】
特許文献１に記載されている階段用養生シートは、階段の各段の踏み板の部分に敷かれる足載せ部と、この足載せ部から前方へ延び、かつ下方へ折り曲げ可能な折曲げ代を有する養生シートである。
【０００４】
この階段用養生シートは、使用時においては、その足載せ部を階段の各段の踏み板に合わせるようにしてその上に載せ、足載せ部及び折曲げ代の両側において別に用意された粘着テープをもって階段に粘着固定しなければならず、また、この粘着テープによる固定作業は階段の各段毎に行わなければならなかった。  
【０００５】
従って、この養生シートにあっては、その都度粘着テープを両側に、しかも各段毎に取り付け、また、各段毎に粘着テープを剥がさなければならないため、養生作業に多くの時間と余計な労力を要し、かつ大変に面倒であって作業性が悪いばかりか、粘着テープを剥がす場合には、被養生面である踏み板面にのりやテープ跡が残ってしまってベタベタし、これにゴミ等が付着して汚れ、物件引渡し時におけるクリーニング仕上げが難しいという問題点があった。
【０００６】
特許文献２に記載されている階段踏面体のカバー部材は、踏面体の上面形状と適合した吸着脱自在なシート部材とこのシート部材上に積層接着された発泡樹脂クッション部材及びこのクッション部材上の踏面体側辺寄りに接着固定された軟質樹脂製の滑り止め体を含むカバー部材である。
【０００７】
このカバー部材は、粘着剤による粘着でなく、シート部材におけるウレタンフォーム吸着層の微細孔の吸盤作用による吸着脱であって、これを剥がすときにも、吸着面に跡を残すことがないから、この点においては優れてはいるものの、階段の各段毎にシート部材を踏み板に合わせるようにして吸着させなければならないため、その位置きめや吸着が面倒で、作業性が悪いという問題点があった。
【０００８】
また、養生シートを各段毎に取り付けることなく、長尺の養生シートを階段上に覆い、この養生シートを踏み面とけこみ面との角部の階段長手方向において、垂木状の押え部材の両端に設けられているバネを階段の両側の壁面に当接させて養生シートを上方より押えて仮留めする方法が行われている。
【０００９】
この方法は、粘着テープ等を要しないために、作業性は良いが、押え部材の両端に設けられているバネ力で押え部材が外れて飛んでしまうということがあって、危険であった。
【発明の開示】
【発明が解決しようとする課題】
【００１０】
本発明が解決しようとする問題点は、階段上に覆った長尺の養生シートを踏み面とけこみ面との角部の階段長手方向において、垂木状の押え部材で押えて仮留めする場合に、押え部材の両端に設けられているバネの弾力で押え部材が外れて飛んでしまうことがあって、危険であるという点である。
【００１１】
従って、本発明の目的は、階段上に覆った長尺の階段用養生シートを、踏み面とけこみ面との角部の階段長手方向において、垂木状の押え部材で押えて仮留めする場合に、コイルバネ等の弾性体の弾力によるも押え部材が外れて飛ぶことがなく、確実にして、かつ安全に階段用養生シートを押え留めすることができる階段用養生シートの押え留め具を提供することにある。
【００１２】
この目的のため、本発明の請求項1に記載の階段用養生シートの押え留め具は、垂木状の押え部材１と、
該押え部材１の両端部２が遊嵌される一対の弾性体収納ケース３と、
該一対の弾性体収納ケース３内にそれぞれ装着されたコイルばね等の弾性体８を含み、
前記一対の弾性体収納ケース３は、前記押え部材１の両方端部２が遊嵌される開口部４を有する有底の筒状体であって、その開口部４と対向する閉塞側面５の内側部位には、前記弾性体８が係止される弾性体係止部７が突設され、一対のケース上面の中央部位には、垂直方向にねじ穴９を有する膨出部１０が一体に立設されるとともに、前記それぞれのねじ穴９には頭付き押えねじ１１がそれぞれねじ込まれて立設され、さらに前記一対の弾性体収納ケース３の閉塞側の外側面にはそれぞれゴム製のクッション性滑り留め部材１２が取り付けされ、前記一対の弾性体収納ケース３内の弾性体係止部７には前記弾性体８がそれぞれ係止装着されて、該一対の弾性体収納ケース３内には、その開口部４側から前記押え部材１の両方の端部２が、その端面が前記弾性体８に当接するようにして遊嵌され、この状態で、前記両方の弾性体収納ケース３側の前記クッション性滑り留め部材１２が弾性体８の弾力に抗して階段の両方の壁面１０２、１０３に当接せられてセットされ、かつ前記頭付き押えねじ１１のねじ込みによるねじ端で前記遊嵌されている押え部材１の両方の端部上面が固定的に押えられ、または前記押えねじ１１の先端のねじ込みによって前記押え部材１が固定的に押えられ、前記階段上に覆われた階段用養生シート２００の上面で、かつ階段踏み面１００とけこみ面１０１との角部の階段長手方向において、前記階段用養生シート２００が上方より押えられて仮留めされる構成を特徴とするものである。
【発明の効果】
【００１３】
請求項1に記載の発明によれば、現場における階段各段毎の粘着テープの切断、粘着やシート部材の踏み板に合わせての吸着等面倒な作業をする必要がなくなり、階段上に覆われた長尺の養生シートの上面において、階段踏み面とけこみ面との角部の階段長手方向に、押え部材の両端部が遊嵌されている一対の弾性体収納ケース側のクッション性滑り留め部材をそれぞれ階段の両側の壁面に当接させて設置すれば、粘着テープ等を要することなく、押え部材と弾性体収納ケースで養生シートを上から押えて一時的に仮留めすることができる。
【００１４】
また、本押え留め具の階段踏み面とけこみ面との角部の階段長手方向への設置は、両方の弾性体収納ケース側のクッション性滑り留め部材を階段の両方の壁面に当接させてセットし、それぞれの押えねじをねじ込めばよいから、熟練を要することなく、素人でも簡単にして、かつ速やかに、しかも弾性体の弾力により確実に設置し得て、養生シートを良好に押え留めすることができる。
【００１５】
また、弾性体収納ケースの両端面にはそれぞれクッション性滑り留め部材が取着されているから、階段の壁面を損傷等したりすることがない。
【発明を実施するための最良の形態】
【００１６】
以下に図面を参照して、本願に係る発明を実施するための最良の形態についてその作用と共に説明する。
【００１７】
図１は、本発明に係る階段用養生シートの押え留め具の一例での設置位置を示す一部省略の概略側面図、図２は、同上の一部を省略し、かつ一部を断面して示す平面図、図３は、本発明に係る階段用養生シートの押え留め具の一例での一部省略の平面図で、図４は、図３の４方向から見た端面図、図５は、弾性体収納ケースの側断面図、図６は、同上の縦断面図で、本実施例において、本階段用養生シート押え留め具は、垂木状の押え部材と、該押え部材の両端部が遊嵌される一対の弾性体収納ケース、該弾性体収納ケース内に装着された弾性体等を含んでいる。
【００１８】
垂木状の押え部材１は、安価であるところから、好ましくは木製であって、その全長は、階段の踏み面１００の長手方向の長さよりもやや短く、例えば、その幅は４６mmであり、その厚さは２４mmの角棒体となっている。
【００１９】
なお、本実施例において、押え部材１は、四角形状体としたが、これに限定されず、丸形状体としてもよい。
【００２０】
一対の弾性体収納ケース３は、好ましくは硬質合成樹脂材による成形品として得られるものであって、押え部材１の端部２が遊嵌される四角形の開口部４を有する有底の短い角形筒状体で、図４から図７に示されているように、開口部４と対向する閉塞側面５の内側部位の二個所には、切欠部６を介してコイルばね、ゴム等の弾性体８が係止される弾性体係止部７が形成されている。    
【００２１】
一対の弾性体収納ケース３におけるケース上面にして、かつ開口部４に近接した中央部位には、金属製のねじ穴９がモールドされた膨出部１０が一体に立設され、金属製のねじ穴９には頭付き押えねじ１１がそれぞれねじ込まれて立設されている。
【００２２】
また、一対の弾性体収納ケース３における閉塞側面５の内外面の略対角線上の二個所には、軟質ゴム製のクッション性滑り留め部材１２が取り付けられ、使用時において、このクッション性滑り留め部材１１によって、階段壁面１０２、１０３を損傷等しないようになっている。
【００２３】
このクッション性滑り留め部材１２は、図８に示されているように、やや大径の円形部１３と、この円形部１３とＨ状に一体に連結され、かつ中心に盲穴１４を有するやや小径の円形部１５を含み、このクッション性滑り留め部材１２は、弾性体収納ケース３の閉塞側面５の略対角線上の二個所に明けられた貫通穴１６に、外側よりやや小径の円形部１５をその盲穴１４を介しての変形によって圧入し、やや小径の円形部１５が内側とされ、やや大径の円形部１３が外側とされて抜け出ないように一体的に取り付けされている。        
【００２４】
なお、一対の弾性体収納ケース３は、四角形の筒状体としたが、これに限定されず、丸形筒状体としてもよい。
【００２５】
このように構成された本養生シート押え留め具は、図１、図２、図５に示されているように、一対の弾性体収納ケース３内の弾性体係止部７には弾性体８がそれぞれ係止装着されて、該一対の弾性体収納ケース３内には、その開口部４側から押え部材１の両方の端部２が、その端面が弾性体８に当接するようにして遊嵌され、この状態で、両方の弾性体収納ケース３側のクッション性滑り留め部材１３を弾性体８の弾力に抗して階段の両方の壁面１０２、１０３に当接させて、階段上に覆われた階段用養生シート２００の上面において、階段踏み面１００とけこみ面１０１との角部の階段長手方向にセットされる。  
【００２６】
すると、押え部材１は、弾性体８の弾発力によって壁面１０２、１０３側に押圧されて、それぞれのクッション性滑り留め部材１３は壁面１０２、１０３に固定的に押し付けられる。
【００２７】
次いで、頭付き押えねじ１１のねじ込みによるねじ端で、遊嵌されている押え部材１の両方の端部２の上面を固定的に押え、または押えねじ１１の先鋭状先端のねじ込みによって押え部材１を固定的に押えれば、階段上に覆われた階段用養生シート２００の上面で、かつ階段踏み面１００とけこみ面１０１との角部の階段長手方向において、階段用養生シート２００は上方より押えられて仮留めされる。    
【００２８】
養生が終わって、本押え留め具を取り外すには、押えねじ１１による押えを解除し、弾性体収納ケース３を押え部材１側に移動させれば、階段壁面１０２（１０３）から外れ、全体を取り外しすることができる。
【図面の簡単な説明】
【００２９】
【図１】本発明に係る階段用養生シートの押え留め具の一例での設置位置を示す一部省略の概略側面図である。
【図２】同上の一部を省略し、かつ一部を断面して示す平面図である。
【図３】本発明に係る階段用養生シートの押え留め具の一例での一部省略の平面図である。
【図４】図３の４方向から見た端面図である。
【図５】弾性体収納ケースの側断面図である。
【図６】同上の縦断面図である。
【図７】弾性体係止部を示す拡大断面図である。
【図８】クッション性滑り留め部材の取り付け状態を示す拡大断面図である。
【符号の説明】
【００３０】
１    押え部材
２    押え部材の両端部
３    弾性体収納ケース
４    開口部
５    閉塞側面    
７    弾性体係止部
８    弾性体
９    膨出部
１０    金属製のねじ穴
１１    頭付き押えねじ
１２    クッション性滑り留め部材
１００    階段踏み面
１０１    階段けこみ面
１０２、１０３    階段壁面
２００    階段用養生シート
【図１】
2008038591.tif 000003
【図２】
2008038591.tif 000004
【図３】
2008038591.tif 000005
【図４】
2008038591.tif 000006
【図５】
2008038591.tif 000007
【図６】
2008038591.tif 000008
【図７】
2008038591.tif 000009
【図８】
2008038591.tif 000010